(57)【要約】  【課題】集塵容器または集塵フィルタを択一的に装着でき、いずれを装着した場合でも良好に塵埃を捕獲することができる電気掃除機を提供する。  【解決手段】集塵室１１の底面壁４１に、連動機構４３の弁体４５により開閉可能な通気孔４２を形成する。集塵フィルタ装着時には、弁体４５により通気孔４２が閉塞されるが、集塵容器装着時には、集塵容器１２が連動機構４３に接触して弁体４５が下方に変位し、通気孔４２が開放される。  【効果】集塵フィルタ装着時には、集塵室１１内を密閉し、吸込口７以外の隙間から集塵室１１内に空気が吸い込まれるのを防止できる。集塵容器装着時には、集塵容器１２と排出口３４との密閉性が低下した場合に、集塵室１１内の空気が排出口３４から吸い出されて集塵室１１内が真空状態となり、集塵容器１２内の塵埃が吸い出されて集塵室１１内に漏れ出してしまうのを防止できる。【選択図】        図４
2006212339.tif 000002
【特許請求の範囲】
【請求項１】
吸込口から本体に吸い込まれる空気に含まれる塵埃を捕獲することができる電気掃除機であって、
上記本体内に形成され、上記吸込口から吸い込まれる空気に含まれる塵埃を捕獲するための集塵容器または集塵フィルタを択一的に装着可能であり、塵埃が捕獲された後の空気を排出するための排出口が形成された集塵室を備え、
上記集塵室に上記集塵容器が装着されているときには、上記集塵容器により上記吸込口と上記排出口とが連通されて、上記吸込口から吸い込まれる空気は、上記集塵容器内を通って直接上記排出口から排出され、上記集塵室に上記集塵フィルタが装着されているときには、上記吸込口から吸い込まれる空気は、上記集塵フィルタを通過した後、上記集塵室内を通って上記排出口から排出されるようになっており、
上記集塵室には、上記集塵室に上記集塵フィルタが装着されているときに閉塞され、上記集塵室に上記集塵容器が装着されているときに開放される通気孔が形成されていることを特徴とする電気掃除機。
【請求項２】
上記集塵室に上記集塵容器が装着されることに連動して上記通気孔を開放させるための装着連動機構をさらに備えることを特徴とする請求項１記載の電気掃除機。
【請求項３】
上記装着連動機構は、上記通気孔を開閉するための弁体と、上記通気孔を閉塞する方向に上記弁体を付勢する付勢手段とを備え、
上記集塵室に上記集塵容器が装着されていない状態では、上記弁体が上記付勢手段に付勢されて上記通気孔を閉塞し、上記集塵室に上記集塵容器が装着されると、上記集塵容器が上記弁体に接触して、上記弁体が上記付勢手段の付勢力に抗して上記通気孔を開放する方向に変位するようになっていることを特徴とする請求項２記載の電気掃除機。
【請求項４】
上記集塵室を開閉するための開閉カバーと、
上記集塵室に上記集塵容器が装着された状態で上記開閉カバーが閉じられることに連動して上記通気孔を開放させるための開閉連動機構とをさらに備えることを特徴とする請求項１記載の電気掃除機。
【請求項５】
上記開閉連動機構は、上記開閉カバーに備えられていることを特徴とする請求項４記載の電気掃除機。
【請求項６】
上記開閉連動機構は、上記通気孔を開閉するための弁体と、上記通気孔を閉塞する方向に上記弁体を付勢する付勢手段とを備え、
上記集塵室に上記集塵容器が装着されていない状態では、上記開閉カバーの開閉に関わらず、上記弁体が上記付勢手段に付勢されて上記通気孔を閉塞し、上記集塵室に上記集塵容器が装着された状態で上記開閉カバーが閉じられると、上記集塵容器が上記弁体に接触して、上記弁体が上記付勢手段の付勢力に抗して上記通気孔を開放する方向に変位するようになっていることを特徴とする請求項４または５記載の電気掃除機。
【発明の詳細な説明】
【技術分野】
【０００１】
この発明は、吸込口から本体に吸い込まれる空気に含まれる塵埃を捕獲することができる電気掃除機に関する。
【背景技術】
【０００２】
一般的な電気掃除機は、電動送風機を備えた本体と、床面に沿って移動される吸込部と、この吸込部を本体に接続する接続ホースとを備えており、本体内に使い捨ての集塵フィルタを装着することができるようになっている（たとえば、特許文献１参照）。
この種の電気掃除機を運転させると、本体に備えられた電動送風機の駆動により、吸込部から機外の空気（床面上の空気）が吸い込まれ、その空気が、接続ホースを通って本体に形成された吸込口から本体内に吸い込まれる。本体内には、吸込口に連通し、集塵フィルタを収容するための集塵室が形成されていて、吸込口から吸い込まれた空気が集塵室を通過する過程で、その空気に含まれる塵埃が集塵フィルタにより捕獲され、集塵室に形成された排出口から排出されるようになっている。集塵室の排出口から排出された空気は、本体内を通過して、本体の背面などに形成された排気口から機外に排出される。
【０００３】
しかし、この種の電気掃除機では、使い捨ての集塵フィルタを用いるため不経済であるとともに、環境保護の観点からも好ましくない。また、集塵フィルタは、その内部にある程度塵埃が溜まるまで交換されないため、溜まった塵埃などから悪臭が生じたり、塵埃が溜まるにつれて吸込力が低下し、集塵効率が悪くなるといった問題がある。
最近では、吸込口から吸い込まれた空気を旋回させるなどして、その空気に含まれる塵埃を捕獲することができる集塵容器を備えた電気掃除機が知られている。集塵容器内に溜まった塵埃は、その集塵容器を本体から取り外して所定の操作を行うことにより、容易に除去することができる。集塵容器を用いた電気掃除機では、集塵容器内に溜まった塵埃を頻繁に（たとえば、掃除を行う毎に）除去することにより、悪臭の発生や集塵効率の低下を防止することができるという利点がある。
【特許文献１】実公平５−２０２７９号公報
【発明の開示】
【発明が解決しようとする課題】
【０００４】
ここで、集塵室内に集塵容器または集塵フィルタを択一的に装着可能な構成が考えられる。このような構成によれば、ユーザの好みに応じて、集塵容器または集塵フィルタのいずれかを集塵室内に装着して使用することができるので、利便性を向上することができる。
この場合、集塵室に集塵フィルタを装着したときには、集塵室が密閉されていなければ、電動送風機の駆動により吸込口以外の隙間から集塵室内に空気が吸い込まれ、吸込口からの吸込力が低下してしまう。そのため、集塵室に集塵フィルタを装着したときには、集塵室が密閉されていることが好ましい。
【０００５】
一方、集塵室に集塵容器を装着したときには、吸込口と排出口とが集塵容器により連通され、吸込口から吸い込まれた空気が、集塵容器内を通って排出口から排出される過程で、その空気に含まれる塵埃が集塵容器内に捕獲される。このとき、集塵室内における集塵容器の外部に塵埃が漏れ出さないようにするために、集塵容器と吸込口および排出口との接続部は、それぞれパッキンなどで密閉されている。しかし、集塵容器と排出口との密閉性が低下すると、集塵室が密閉されているために、電動送風機の駆動により集塵室内の空気が排出口から吸い出され、集塵室内が真空状態となる。そうすると、集塵容器と吸込口とがパッキンなどで密閉されている場合でも、集塵容器内の塵埃が、集塵容器と吸込口との接続部から集塵容器の外部に吸い出され、集塵室内に漏れ出してしまうという問題がある。
【０００６】
この発明は、かかる背景のもとでなされたもので、集塵容器または集塵フィルタを択一的に装着でき、いずれを装着した場合でも良好に塵埃を捕獲することができる電気掃除機を提供することを目的とする。
【課題を解決するための手段】
【０００７】
上記目的を達成するための請求項１記載の発明は、吸込口（７）から本体（３；１０３）に吸い込まれる空気に含まれる塵埃を捕獲することができる電気掃除機であって、上記本体内に形成され、上記吸込口から吸い込まれる空気に含まれる塵埃を捕獲するための集塵容器（１２；１１２）または集塵フィルタ（１３）を択一的に装着可能であり、塵埃が捕獲された後の空気を排出するための排出口（３４）が形成された集塵室（１１）を備え、上記集塵室に上記集塵容器が装着されているときには、上記集塵容器により上記吸込口と上記排出口とが連通されて、上記吸込口から吸い込まれる空気は、上記集塵容器内を通って直接上記排出口から排出され、上記集塵室に上記集塵フィルタが装着されているときには、上記吸込口から吸い込まれる空気は、上記集塵フィルタを通過した後、上記集塵室内を通って上記排出口から排出されるようになっており、上記集塵室には、上記集塵室に上記集塵フィルタが装着されているときに閉塞され、上記集塵室に上記集塵容器が装着されているときに開放される通気孔（４２；５４）が形成されていることを特徴とする電気掃除機である。
【０００８】
なお、括弧内の英数字は、後述の実施形態における対応構成要素を表す。以下、この項において同じ。
この構成によれば、集塵室に集塵フィルタが装着されているときには、通気孔が閉塞されるので、集塵室内を密閉することができる。したがって、吸込口以外の隙間から集塵室内に空気が吸い込まれるのを防止することにより、吸込口からの吸込力が低下するのを防止することができるので、良好に塵埃を捕獲することができる。
【０００９】
また、集塵室に集塵容器が装着されているときには、通気孔が開放されるので、集塵容器と排出口との密閉性が低下した場合に、集塵室内の空気が排出口から吸い出されて、集塵室内が真空状態となるのを防止することができる。したがって、集塵容器内の塵埃が、集塵容器と吸込口との接続部から集塵容器の外部に吸い出され、集塵室内に漏れ出してしまうのを防止することができるので、良好に塵埃を捕獲することができる。
【００１０】
したがって、集塵容器または集塵フィルタを択一的に装着でき、いずれを装着した場合でも良好に塵埃を捕獲することができる。
請求項２記載の発明は、上記集塵室（１１）に上記集塵容器（１２）が装着されることに連動して上記通気孔（４２）を開放させるための装着連動機構（４３）をさらに備えることを特徴とする請求項１記載の電気掃除機である。
【００１１】
この構成によれば、集塵室に集塵容器を装着するだけで、通気孔を容易に開放させることができるので、使い勝手がよい。
請求項３記載の発明は、上記装着連動機構（４３）は、上記通気孔（４２）を開閉するための弁体（４５）と、上記通気孔を閉塞する方向に上記弁体を付勢する付勢手段（４６）とを備え、上記集塵室（１１）に上記集塵容器（１２）が装着されていない状態では、上記弁体が上記付勢手段に付勢されて上記通気孔を閉塞し、上記集塵室に上記集塵容器が装着されると、上記集塵容器が上記弁体に接触して、上記弁体が上記付勢手段の付勢力に抗して上記通気孔を開放する方向に変位するようになっていることを特徴とする請求項２記載の電気掃除機である。
【００１２】
この構成によれば、弁体と付勢手段とを備えた簡単な構成で、集塵室に集塵容器が装着されることに連動して通気孔を開放させることができる。したがって、構造を簡略化して、製造コストを低減することができる。
請求項４記載の発明は、上記集塵室（１１）を開閉するための開閉カバー（１１８）と、上記集塵室に上記集塵容器（１１２）が装着された状態で上記開閉カバーが閉じられることに連動して上記通気孔（５４）を開放させるための開閉連動機構（５５）とをさらに備えることを特徴とする請求項１記載の電気掃除機である。
【００１３】
この構成によれば、集塵室に集塵容器を装着して開閉カバーを閉じるだけで、通気孔を容易に開放させることができるので、使い勝手がよい。
請求項５記載の発明は、上記開閉連動機構（５５）は、上記開閉カバー（１１８）に備えられていることを特徴とする請求項４記載の電気掃除機である。
この構成によれば、集塵室に集塵容器が装着された状態で開閉カバーが閉じられることに連動して、開閉カバーに備えられた開閉連動機構を集塵容器に接触させ、通気孔を開放させることができる。したがって、構造を簡略化して、製造コストを低減することができる。
【００１４】
請求項６記載の発明は、上記開閉連動機構（５５）は、上記通気孔（５４）を開閉するための弁体（６０）と、上記通気孔を閉塞する方向に上記弁体を付勢する付勢手段（６１）とを備え、上記集塵室（１１）に上記集塵容器（１１２）が装着されていない状態では、上記開閉カバー（１１８）が閉じられても、上記弁体が上記付勢手段に付勢されて上記通気孔を閉塞し、上記集塵室に上記集塵容器が装着された状態で上記開閉カバーが閉じられると、上記集塵容器が上記弁体に接触して、上記弁体が上記付勢手段の付勢力に抗して上記通気孔を開放する方向に変位するようになっていることを特徴とする請求項４または５記載の電気掃除機である。
【００１５】
この構成によれば、弁体と付勢手段とを備えた簡単な構成で、集塵室に集塵容器が装着された状態で開閉カバーが閉じられることに連動して通気孔を開放させることができる。したがって、構造を簡略化して、製造コストを低減することができる。
【発明を実施するための最良の形態】
【００１６】
以下には、図面を参照して、この発明の実施形態について具体的に説明する。
図１は、この発明の第１実施形態に係る電気掃除機の外観構成を示す側面図であって、吸込部４の一部を断面図で示している。以下の説明では、図１における左側を前方、右側を後方とし、図１における手前側を左方、奥側を右方として説明する。
図１を参照して、この電気掃除機は、電動送風機２を備えた本体３と、床面Ｆに沿って移動される吸込部４と、本体３と吸込部４とを接続する接続ホース５とを備えている。接続ホース５は、一端部が本体３の前面に形成された吸込口７に接続される可撓性を有する蛇腹状の第１ホース５Ａと、一直線状に延びるほぼ可撓性を有しない略円筒状部材であって、第１ホース５Ａの他端部と吸込部４とを接続する第２ホース５Ｂとを含む。第２ホース５Ｂの第１ホース５Ａとの接続部近傍は、掃除を行う際にユーザが把持するための把持部８Ａが形成された手元部８を構成している
吸込部４、第２ホース５Ｂおよび手元部８は、互いに連結されることにより、一体的な吸込具１０を構成している。掃除を行う際には、ユーザは、本体３に備えられた電動送風機２を駆動させた状態で、把持部８Ａを把持して吸込具１０を移動させることにより、吸込部４の底面に形成された吸引口４Ａから床面Ｆ上の塵埃を空気とともに吸い込ませる。吸込部４の吸引口４Ａには、周面に螺旋状の翼（図示せず）が形成された回転ブラシ９が回転可能に配置されていて、この回転ブラシ９を高速で回転させることにより吸引口４Ａから塵埃を掻き込むことができる。回転ブラシ９は、吸引口４Ａから吸い込まれる空気の風圧で回転されるようになっていてもよいし、吸込部４内に備えられたモータ（図示せず）により回転されるようになっていてもよい。
【００１７】
吸込部４の吸引口４Ａから吸い込まれた空気は、接続ホース５を通って、吸込口７から本体３内に流入する。本体３内には、吸込口７に連通するように集塵室１１が形成されている。この集塵室１１には、後述するように、吸込口７から吸い込まれた空気を旋回させることにより、その空気に含まれる塵埃を遠心力で分離させて捕獲するための旋回式の集塵容器１２、または、一般に市販されている紙パックなどの使い捨ての集塵フィルタ１３を択一的に装着することができる。
【００１８】
本体３には複数の車輪６が回転可能に取り付けられており、この車輪６を床面Ｆに沿って転動させることにより、本体３を床面Ｆに沿って移動させることができるようになっている。
図２は、第１実施形態の本体３を左手前側上方から見た斜視図である。図３は、第１実施形態の本体３を水平面で切断したときの断面を上方から見た断面図であって、集塵室１１に集塵容器１２が装着された状態を示している。図４は、第１実施形態の本体３を前後方向に沿った鉛直面で切断したときの断面を左方から見た断面図であって、集塵室１１に集塵容器１２が装着された状態を示している。
【００１９】
図２〜図４を参照して、集塵室１１は、本体３内の前側に形成されており、本体３内の後側には、電動送風機２を収容する送風機収容室１４が形成されている。電動送風機２は、送風機収容室１４内の左側３分の２程度の空間に配置されており、送風機収容室１４内の右側３分の１程度の空間は、この電気掃除機に外部から電力を供給するための電源コード（図示せず）を収容するコード収容室１５を形成している。コード収容室１５には、略円筒状のコードリール１６が左右方向に延びる回転軸１７を中心に回転可能に配置されており、この電気掃除機を使用しないときには、電源コードをコードリール１６の外周面に巻き付けた状態でコード収容室１５に収容しておくことができる。
【００２０】
集塵室１１の上面は開口されており、その上面開口１１Ａをダストカバー１８で覆うことができる。集塵室１１の上面開口１１Ａの周縁部には、環状のパッキン１９が取り付けられていて、ダストカバー１８が閉じられると、ダストカバー１８の外周縁がパッキン１９に圧接されることにより、ダストカバー１８と上面開口１１Ａとの隙間が密閉される。ダストカバー１８には、リールボタン２０が備えられていて、このリールボタン２０を押操作することにより、電源コードをコード収容室１５内に引き込んでコードリール１６の外周面に巻き付けることができる。ダストカバー１８の後側には、本体３を持ち上げる際に把持するためのハンドル２１が回動可能に配置されている。
【００２１】
集塵室１１の前面を区画する前面壁２２には、吸込口７に連通する略円形の開口２３が形成されている。集塵容器１２の前面には、集塵容器１２内への空気の入口２４が略円形状に形成されており、入口２４の周縁部から前方に向かって突出する筒状の入口管２５が形成されている。集塵容器１２は、ダストカバー１８を開いた状態で、上方から上面開口１１Ａを介して集塵室１１内に挿入され、入口管２５の前端縁が前面壁２２の開口２３の周縁部に対向した状態で装着される。前面壁２２の開口２３の周縁部には、略円環状のパッキン２６が取り付けられており、集塵容器１２を集塵室１１内に装着した状態では、入口管２５の前端縁がパッキン２６に圧接されることにより、前面壁２２の開口２３と入口管２５の前端縁との隙間が密閉される。
【００２２】
集塵室１１の前端上部（上面開口１１Ａの前端部）には、集塵室１１内に装着される集塵容器１２または集塵フィルタ１３の上部に係止される係止部材２７が、左右方向に延びる回動軸２８を中心に回動可能に取り付けられている。また、集塵室１１の底面の前端部には、集塵室１１内に装着される集塵容器１２または集塵フィルタ１３の下部に係止される規制部４０が突出形成されている。集塵容器１２の入口管２５の前端縁には、外方（入口管２５の径方向）に向かって張り出したフランジ部２９が形成されていて、集塵容器１２を集塵室１１内に挿入し、フランジ部２９の下端縁部を規制部４０に係止させるとともに、係止部材２７を回動させて、係止部材２７をフランジ部２９の上端縁に係止させることにより、集塵室１１内に集塵容器１２を固定することができる。
【００２３】
集塵容器１２は、たとえば樹脂製であって、その内部に、入口２４から流入して後方に向かう空気を螺旋状に旋回させ、その空気に含まれる塵埃を遠心力で分離させるための旋回流路３０が形成されている。集塵容器１２の後面には出口３１が形成されていて、この出口３１がウレタンなどで形成されたフィルタ３２で覆われている。旋回流路３０を旋回する空気から分離された塵埃は、フィルタ３２により捕獲され、塵埃が捕獲された後の空気は、フィルタ３２を通過して、集塵室１１の後面を区画する後面壁３３に形成された排出口３４から、送風機収容室１４内に流出する。そして、送風機収容室１４内に流出した空気は、この送風機収容室１４内およびコード収容室１５内を通って、車輪６に形成された複数の排気口３５（図２参照）から本体３の外部に排出される。
【００２４】
集塵室１１に集塵容器１２が装着されているときには、集塵容器１２の入口２４が、前面壁２２の開口２３を介して吸込口７に連通し、集塵容器１２の出口３１が後面壁３３の排出口３４に連通することにより、吸込口７と排出口３４とが集塵容器１２を介して連通している。したがって、吸込口７から吸い込まれた空気は、集塵容器１２内を通って直接排出口３４から排出される。すなわち、吸込口７から吸い込まれた空気は、集塵室１１内における集塵容器１２の外部を通過することなく、排出口３４より送風機収容室１４内に排出される。
【００２５】
図５は、第１実施形態の本体３を前後方向に沿った鉛直面で切断したときの断面を左方から見た断面図であって、集塵室１１に集塵フィルタ１３が装着された状態を示している。
図５に示すように、集塵フィルタ１３は、略矩形平板状の台紙３６と、この台紙３６の一方面（後面）に開口部が固定された袋状のろ紙フィルタ３７とを含む。台紙３６の中央部には、前面壁２２の開口２３に対応する形状の略円形の入口３８が形成されており、この入口３８の後方側がろ紙フィルタ３７で覆われている。
【００２６】
集塵室１１の前面壁２２の左右両側には、集塵室１１に対して集塵フィルタ１３を着脱する際に台紙３６の左右両側縁をガイドするための１対のガイド部材３９が、上下方向に延びるように後方に向かって突出形成されている（図３参照）。集塵フィルタ１３は、その左右両側縁が１対のガイド部材３９に沿うようにして集塵室１１内に挿入され、台紙３６の下端縁部が規制部４０に係止されるとともに、係止部材２７が回動されて、台紙３６の上端縁が係止部材２７に係止されることにより、集塵室１１内に固定される。台紙３６が集塵室１１内に固定された状態では、台紙３６がパッキン２６に押さえ付けられ、台紙３６の前面における入口３８の周縁部がパッキン２６に圧接されることにより、前面壁２２の開口２３と集塵フィルタ１３の入口３８との隙間が密閉される。
【００２７】
集塵室１１に集塵フィルタ１３が装着されているときには、吸込口７から吸い込まれる空気は、台紙３６の入口３８からろ紙フィルタ３７内に入り、このろ紙フィルタ３７を通過する際に塵埃が捕獲され、塵埃が捕獲された後の空気が、集塵室１１内を通って排出口３４から排出される。すなわち、吸込口７から吸い込まれた空気は、集塵フィルタ１３（ろ紙フィルタ３７）を通過した後、集塵室１１内における集塵フィルタ１３の外部を一旦通過してから、排出口３４より送風機収容室１４内に排出される。
【００２８】
図４および図５に示すように、集塵室１１の底面を区画する底面壁４１には、通気孔４２が上下方向に貫通するように形成されている。この通気孔４２は、底面壁４１に取り付けられた連動機構４３により開閉することができる。本体３の底面には、通気孔４２に対向する位置に、本体３の内外を連通する連通口４４が形成されていて、通気孔４２が開放された状態では、集塵室１１と本体３の外部とが連通するようになっている。
【００２９】
図６は、第１実施形態の本体３を連動機構４３の近傍において前後方向に沿った鉛直面で切断したときの断面を左方から見た断面図であって、通気孔４２が閉塞された状態を示している。図７は、第１実施形態の集塵室１１の底面壁４１における連動機構４３の近傍を下方から見た図である。
図６および図７を参照して、連動機構４３には、通気孔４２を開閉するための弁体４５と、この弁体４５を付勢するためのばね４６とが備えられている。
【００３０】
弁体４５は、通気孔４２を開閉するための略円板状の開閉板４７と、この開閉板４７の中心軸線に沿って上方に延びるように、その下端部が開閉板４７の上面の中心部に結合された略円柱状の軸部４８とが一体的に形成された形状を有し、軸部４８の上端部には、弁体４５の変位を規制するための略円板状の規制板４９が連結されている。規制板４９の外径は、軸部４８の外径よりも大きく、開閉板４７の外径よりも小さい。
【００３１】
集塵室１１の底面壁４１には、弁体４５の軸部４８に対応する略円形の開口５０が形成されている。弁体４５は、その軸部４８が上端部から開口５０に挿入されるようにして、底面壁４１に対して下方から取り付けられる。そして、開口５０を下方から貫通した軸部４８に、上端部からばね４６が被せられた後、その上端部に規制板４９が連結される。これにより、弁体４５は、その軸部４８が開口５０に沿ってスライド可能に保持され、ばね４６が、弁体４５の軸部４８に被せられた状態で、底面壁４１の上面と規制板４９の下面との間に挟持される。ばね４６は、取り付けられた状態ではある程度縮んでおり、底面壁４１に対して規制板４９を上方に押圧している。
【００３２】
集塵室１１の底面壁４１には、略円弧状に延びる４つの通気孔４２が形成されている。これらの４つの通気孔４２は、開口４８を中心に、同一の曲率半径で周方向に約４５°ずつ形成されている。一方、弁体４５の開閉板４７には、略円弧状に延びる４つの通気孔５１が形成されている。これらの４つの通気孔５１は、軸部４８を中心に、同一の曲率半径で周方向に約４５°ずつ形成されている。弁体４５の開閉板４７に形成された通気孔５１の曲率半径は、集塵室１１の底面壁４１に形成された通気孔４２の曲率半径よりも小さい。これにより、弁体４５の開閉板４７に形成された４つの通気孔５１と、集塵室１１の底面壁４１に形成された４つの通気孔４２とが、平面視で互いに重なり合わないようになっている。
【００３３】
弁体４５に対して外力が加わっていないときには、集塵室１１の底面壁４１に対して規制板４９がばね４６で上方に押圧されることにより、開閉板４７の上面が底面壁４１の下面に当接している。この状態では、上記のように、弁体４５の通気孔５１と底面壁４１の通気孔４２とが平面視で互いに重なり合わないようになっているので、底面壁４１の通気孔４２が対面する開閉板４７により閉塞されるとともに、弁体４５（開閉板４７）の通気孔５１が対面する底面壁４１により閉塞される。
【００３４】
図５に示すように、集塵室１１に集塵フィルタ１３が装着された場合には、集塵室１１の底面壁４１に取り付けられた弁体４５の上方に集塵フィルタ１３のろ紙フィルタ３７が位置している。したがって、通常は、集塵フィルタ１３が弁体４５に接触することはなく、たとえ、集塵フィルタ１３内にある程度の塵埃が溜まってろ紙フィルタ３７が膨らみ、ろ紙フィルタ３７の外面が弁体４５に接触することがあったとしても、弁体４５に対してばね４６の付勢力に抗して下方に変位するほどの外力が加わることはない。したがって、集塵室１１に集塵フィルタ１３が装着されている状態では、弁体４５により通気孔４２が閉塞される。
【００３５】
一方、図４に示すように、集塵室１１に集塵容器１２が装着された場合には、集塵容器１２の底部に形成されたリブ５２が、弁体４５に接触するようになっている。すなわち、集塵容器１２を集塵室１１に上方から挿入すると、集塵容器１２のリブ５２が弁体４５の規制板４９の上面に上方から当接し、さらに集塵容器１２が挿入されることにより、規制板４９がばね４６の付勢力に抗して下方に押し下げられる。
【００３６】
図８は、第１実施形態の本体３を連動機構４３の近傍において前後方向に沿った鉛直面で切断したときの断面を左方から見た断面図であって、通気孔４２が開放された状態を示している。
図４および図８に示すように、集塵室１１に集塵容器１２が装着されることに連動して、集塵容器１２のリブ５２により弁体４５の規制板４９が下方に押し下げられると、集塵室１１の底面壁４１と弁体４５の開閉板４７とが離間する。これにより、底面壁４１の通気孔４２が開放されて、集塵室１１と本体３の外部とが、図８に矢印で示すように、底面壁４１の通気孔４２、底面壁４１と本体３の底面との空間５３、弁体４５の通気孔５１および連通口４４を介して連通する。
【００３７】
この実施形態では、集塵室１１に集塵フィルタ１３が装着されているときには、通気孔４２が閉塞されるので、集塵室１１内を密閉することができる。したがって、吸込口７以外の隙間から集塵室１１内に空気が吸い込まれるのを防止することにより、吸込口７からの吸込力が低下するのを防止することができるので、良好に塵埃を捕獲することができる。
【００３８】
また、集塵室１１に集塵容器１２が装着されているときには、通気孔４２が開放されて、図８に示す矢印の順に外気が集塵室１１内に入り込むので、集塵容器１２と排出口３４との密閉性が低下した場合に、集塵室１１内の空気が排出口３４から吸い出されても、集塵容器１２内の真空度は、常に集塵室１１内の真空度よりも高くなるため、集塵室１１内が高真空状態となるのを防止することができる。したがって、集塵容器１２内の塵埃が、集塵容器１２と吸込口７（開口２３）との接続部から集塵容器１２の外部に吸い出され、集塵室１１内に漏れ出してしまうのを防止することができるので、良好に塵埃を捕獲することができる。
【００３９】
したがって、この実施形態では、集塵容器１２または集塵フィルタ１３を択一的に装着でき、いずれを装着した場合でも良好に塵埃を捕獲することができる。
また、この実施形態では、連動機構４３により、集塵室１１に集塵容器１２が装着されることに連動して通気孔４２が開放される。したがって、集塵室１１に集塵容器１２を装着するだけで、通気孔４２を容易に開放させることができるので、使い勝手がよい。
【００４０】
さらに、この実施形態では、弁体４５とばね４６とを備えた簡単な構成で、集塵室１１に集塵容器１２が装着されることに連動して通気孔４２を開放させることができる。したがって、構造を簡略化して、製造コストを低減することができる。
図９は、この発明の第２実施形態に係る電気掃除機の本体１０３を前後方向に沿った鉛直面で切断したときの断面を左方から見た断面図であって、集塵室１１に集塵フィルタ１３が装着された状態を示している。この実施形態に係る電気掃除機において、上述の第１実施形態に係る電気掃除機に対応する部分については、図に同一の参照符号を付して示し、以下では、その部分についての詳細な説明を省略する。
【００４１】
この実施形態では、集塵室１１と本体１０３の外部とを連通するための通気孔５４が、ダストカバー１１８に形成されている。この通気孔５４は、略円形状であって、ダストカバー１１８に取り付けられた連動機構５５により開閉することができる。
図１０は、第２実施形態のダストカバー１１８の平面図である。図１１は、第２実施形態のダストカバー１１８の背面図である。
【００４２】
図９〜図１１に示すように、ダストカバー１１８の上面における前後方向中央部の右寄りの位置には、下方に向かって窪んだ凹部５６が形成されており、この凹部５６の底面に通気孔５４が形成されている。連動機構５５は、凹部５６内に収容されている。ダストカバー１１８の上面には、凹部５６内に連動機構５５が挿入された後に、装飾用のカバー部材５７が被せられる。カバー部材５７がダストカバー１１８の上面に被せられると、このカバー部材５７の下面から下方に突出するように形成された複数の固定リブ５８が、凹部５６内に入り込んで連動機構５５に係止され、連動機構５５が凹部５６内に固定されるとともに、凹部５６の上面開口がカバー部材５７により閉塞される。
【００４３】
連動機構５５には、略円筒形状を有し、その上面が閉塞された弁保持体５９と、この弁保持体５９内に上下方向に変位可能に保持された弁体６０と、この弁体６０を付勢するためのばね６１とが備えられている。
弁保持体５９は、その下面開口が通気孔５４に対向するように上方から凹部５６内に挿入され、その下端縁と通気孔５４の周縁部とが、略円環状のパッキン６２を介して密閉された状態で取り付けられる。パッキン６２の内周縁は通気孔５４に対向しており、その内周縁の上面には、上方に向かって突出し、弁保持体５９の下面開口から弁保持体５９内に入り込む突出部６３が形成されている（図１２および図１３参照）。弁保持体５９の上面を閉塞する上面壁６４の下面には、下方に向かって突出する略円筒状の筒部６５が形成されている。
【００４４】
弁体６０は、通気孔５４を開閉するための略円板状の開閉板６６と、この開閉板６６の外周縁部から上方に向かって突出する略円筒状の筒部６７とが一体的に形成された形状を有している。ばね６１は、その上端部が弁保持体５９の筒部６５に下方から被せられるとともに、その下端部が弁体６０の筒部６７内に上方から挿入されることにより挟持される。ばね６１は、取り付けられた状態ではある程度縮んでおり、弁保持体５９の上面壁６４に対して弁体６０の開閉板６６を下方に押圧している。したがって、弁体６０に対して外力が加わっていないときには、開閉板６６がばね６１で下方に押圧されることにより、開閉板６６の下面の外周縁部がパッキン６２の突出部６３の上端縁に当接し、ダストカバー１１８の通気孔５４が弁体６０（開閉板６６）により閉塞される。
【００４５】
弁保持体５９の周面上部には、弁保持体５９の内外を連通する連通口６８が、周方向に沿って複数形成されている。また、ダストカバー１１８の凹部５６の後面を区画する後面壁６９には、略矩形の切欠き７０が形成されている。
図１２は、第２実施形態のダストカバー１１８を連動機構５５の近傍において前後方向に沿った鉛直面で切断したときの断面を左方から見た断面図であって、通気孔５４が閉塞された状態を示している。図１３は、第２実施形態のダストカバー１１８を連動機構５５の近傍において前後方向に沿った鉛直面で切断したときの断面を左方から見た断面図であって、通気孔５４が開放された状態を示している。なお、図１２および図１３では、連動機構５５の一部（前半分）を側面図で示している。
【００４６】
図９に示すように、集塵室１１に集塵フィルタ１３が装着された場合には、ダストカバー１１８に取り付けられた弁体６０の下方に集塵フィルタ１３のろ紙フィルタ３７が位置している。したがって、通常は、集塵フィルタ１３が弁体６０に接触することはなく、たとえ、集塵フィルタ１３内にある程度の塵埃が溜まってろ紙フィルタ３７が膨らみ、ろ紙フィルタ３７の外面が弁体６０に接触することがあったとしても、弁体６０に対してばね６１の付勢力に抗して上方に変位するほどの外力が加わることはない。したがって、集塵室１１に集塵フィルタ１３が装着されている状態では、ダストカバー１１８の開閉に関わらず、図１２に示すように、弁体６０により通気孔５４が閉塞される。
【００４７】
一方、図１２に示す状態から、弁体６０の開閉板６６に対して下方から上方に向かって外力が加わった場合には、図１３に示すように、開閉板６６がばね６１の付勢力に抗して上方に押し上げられ、通気孔５４が開放される。この場合、集塵室１１と本体１０３の外部とが、図１３に矢印で示すように、ダストカバー１１８の通気孔５４、弁保持体５９内の空間７１、弁保持体５９の連通口６８、凹部５６内の空間７２、ダストカバー１１８の切欠き７０およびダストカバー１１８と本体１０３との隙間を介して連通する。
【００４８】
図１４〜図１６は、第２実施形態の本体１０３を前後方向に沿った鉛直面で切断したときの断面を左方から見た断面図であって、集塵室１１に集塵容器１１２が装着された状態を示している。
この実施形態の集塵容器１１２は、第１実施形態の集塵容器１２とほぼ同様の構成を有しているが、集塵容器１１２の上面におけるダストカバー１１８を閉じた状態で通気孔５４に対向する位置に、上方に向かって突出するリブ７３が形成されている点が異なっている。
【００４９】
集塵室１１に集塵容器１１２を装着した状態であっても、図１４に示すようにダストカバー１１８が開いた状態では、弁体６０に対して外力は作用せず、ダストカバー１１８の通気孔５４は閉塞されている。図１４に示す状態から、図１５に示す状態までダストカバー１１８が閉じられると、集塵容器１１２の上面に形成されたリブ７３が、通気孔５４内に下方から入り込んで、その先端が弁体６０の開閉板６６の下面に接触する。図１５に示す状態から、図１６に示すように、集塵室１１の上面開口１１Ａが閉塞されるまでダストカバー１１８が閉じられると、集塵容器１１２のリブ７３により弁体６０の開閉板６６がばね６１の付勢力に抗して上方に押し上げられ、通気孔５４が開放される。
【００５０】
この実施形態では、集塵室１１に集塵フィルタ１３が装着されているときには、通気孔５４が閉塞されるので、集塵室１１内を密閉することができる。したがって、吸込口７以外の隙間から集塵室１１内に空気が吸い込まれるのを防止することにより、吸込口７からの吸込力が低下するのを防止することができるので、良好に塵埃を捕獲することができる。
【００５１】
また、集塵室１１に集塵容器１１２が装着されているときには、通気孔５４が開放されて、図１３に示す矢印の順に外気が集塵室１１内に入り込むので、集塵容器１１２と排出口３４との密閉性が低下した場合に、集塵室１１内の空気が排出口３４から吸い出されても、集塵容器１１２内の真空度は、常に集塵室１１内の真空度よりも高くなるため、集塵室１１内が高真空状態となるのを防止することができる。したがって、集塵容器１１２内の塵埃が、集塵容器１１２と吸込口７（開口２３）との接続部から集塵容器１１２の外部に吸い出され、集塵室１１内に漏れ出してしまうのを防止することができるので、良好に塵埃を捕獲することができる。
【００５２】
したがって、この実施形態では、集塵容器１１２または集塵フィルタ１３を択一的に装着でき、いずれを装着した場合でも良好に塵埃を捕獲することができる。
また、この実施形態では、連動機構５５により、集塵室１１に集塵容器１２が装着された状態でダストカバー１１８が閉じられることに連動して通気孔５４が開放される。したがって、集塵室１１に集塵容器１１２を装着してダストカバー１１８を閉じるだけで、通気孔５４を容易に開放させることができるので、使い勝手がよい。
【００５３】
さらに、この実施形態では、連動機構５５がダストカバー１１８に備えられているので、集塵室１１に集塵容器１１２が装着された状態でダストカバー１１８が閉じられることに連動して、ダストカバー１１８に備えられた連動機構５５を集塵容器１１２に接触させ、通気孔５４を開放させることができる。したがって、構造を簡略化して、製造コストを低減することができる。
【００５４】
また、この実施形態では、弁体６０とばね６１とを備えた簡単な構成で、集塵室１１に集塵容器１１２が装着された状態でダストカバー１１８が閉じられることに連動して通気孔５４を開放させることができる。したがって、構造を簡略化して、製造コストを低減することができる。
図１７は、この発明の第３実施形態に係る電気掃除機の本体２０３を左手前側上方から見た斜視図であって、集塵室１１に集塵容器２１２が装着され、ダストカバー２１８が開かれた状態を示している。図１８は、第３実施形態の本体２０３を前後方向に沿った鉛直面で切断したときの断面を左方から見た断面図であって、集塵室１１に集塵容器２１２が装着され、ダストカバー２１８が閉じられた状態を示している。図１９は、図１８に示す矢印Ａ−Ａに沿って見た断面図である。この実施形態に係る電気掃除機において、上述の第１実施形態に係る電気掃除機に対応する部分については、図に同一の参照符号を付して示し、以下では、その部分についての詳細な説明を省略する。
【００５５】
図１７〜図１９に示すように、この実施形態のダストカバー２１８は、第１実施形態の集塵容器１２とほぼ同様の構成を有しているが、ダストカバー２１８の下面、すなわち、ダストカバー２１８を閉じた状態で集塵室１１に対向する面に、左右１対の突部７４が形成されている点が異なっている。１対の突部７４は、それぞれ左右方向に向かって延び、ダストカバー２１８の左右方向中央部に一定の間隔を隔てて配置されている。
【００５６】
この実施形態の集塵容器２１２には、集塵容器２１２を集塵室１１に対して出し入れする際に把持するための把持部７５が形成されている。把持部７５は、前後方向に延びるように形成され、その前端部７５Ａが集塵容器２１２の上部前端の左側に連結され、その後端部７５Ｂが集塵容器２１２の上部後端の左右方向中央部に連結されている。把持部７５は、その前後方向中央部が集塵容器２１２の上面に対して一定の間隔を隔てて対向しており、この把持部７５と集塵容器２１２の上面との間の空間に指を入れて、把持部７５を把持することができる。
【００５７】
把持部７５の後端部７５Ｂには、集塵容器２１２の後面に形成された出口３１に対してフィルタ３２を係止するための係止機構７６が備えられている。フィルタ３２は、集塵容器２１２に対して、その下端縁を中心に回動可能に取り付けられたフィルタ保持枠７９により保持されていて、フィルタ保持枠７９を回動させて出口３１を開放することにより、集塵容器２１２内に溜まった塵埃を出口３１から取り出すことができる。係止機構７６には、左右方向に延びる回動軸（図示せず）を中心に回動可能に取り付けられ、フィルタ保持枠７９の上端縁に係止する係止爪７７と、フィルタ保持枠７９を係止する方向に係止爪７７を付勢するためのばね（図示せず）とが備えられている。
【００５８】
係止爪７７は、上下方向に延びており、その下端部がフィルタ保持枠７９に係止される。係止爪７７の上端部は、把持部７５の後端部７５Ｂ内を通って、その後端部７５Ｂの上面から上方に臨んでいる。係止爪７７の上端部は、係止爪７７を回動させてフィルタ保持枠７９に対する係止状態を解除するために操作される操作部７８を構成している。
集塵室１１に集塵容器２１２を装着した状態でダストカバー２１８を閉じると、係止機構７６が備えられた把持部７５の後端部７５Ｂを挟んで、左右両側に１対の突部７４が配置され、これらの１対の突部７４の先端面（下端面）が集塵容器２１２の上面に当接する。これにより、ダストカバー２１８を閉じることで、集塵容器２１２の上面を１対の突部７４により下方に押圧し、集塵容器２１２を所定の装着位置（入口２４が集塵室１１の前面壁２２に形成された開口２３に対向する位置）まで押し下げることができる。したがって、集塵室１１に集塵容器２１２を装着して使用する際に、集塵容器２１２を集塵室１１に安定して容易に固定することができる。
【００５９】
図２０は、第３実施形態の本体２０３を前後方向に沿った鉛直面で切断したときの断面を左方から見た断面図であって、集塵室１１に集塵フィルタ１３が装着され、ダストカバー２１８が閉じられた状態を示している。
図２０に示すように、集塵室１１に集塵フィルタ１３が装着された状態でダストカバー２１８が閉じられた場合には、１対の突部７４の下方に集塵フィルタ１３のろ紙フィルタ３７が位置している。集塵フィルタ１３に溜まった塵埃が少ない間は、ろ紙フィルタ３７は１対の突部７４に接触しないが、集塵フィルタ１３内にある程度の塵埃が溜まってろ紙フィルタ３７が膨らむと、ろ紙フィルタ３７の外面が１対の突部７４の先端面に接触する。したがって、１対の突部７４により、ろ紙フィルタ３７が膨らみすぎて破れるのを防止することができる。
【００６０】
この実施形態では、１対の突部７４をダストカバー２１８に設けるだけで、集塵室１１に集塵容器２１２が装着されているときには、１対の突部７４により集塵容器２１２を所定の装着位置に案内することができ、集塵室１１に集塵フィルタ１３が装着されているときには、１対の突部７４により集塵フィルタ１３（ろ紙フィルタ３７）が膨らみすぎて破れるのを防止することができる。したがって、１対の突部７４に２つの機能を持たせることができるので、構造を簡略化して、製造コストを低減することができる。
【００６１】
図２１は、この発明の第４実施形態に係る電気掃除機の本体３０３を水平面で切断したときの断面を上方から見た断面図であって、集塵室１１に集塵容器３１２が装着された状態を示している。この実施形態に係る電気掃除機において、上述の第１実施形態に係る電気掃除機に対応する部分については、図に同一の参照符号を付して示し、以下では、その部分についての詳細な説明を省略する。
【００６２】
図２１に示すように、この実施形態では、集塵室１１に集塵容器３１２および集塵フィルタ１３がいずれも装着されていない状態でダストカバー３１８が閉じられようとしたときに、ダストカバー３１８が閉じられるのを防止するためのストッパ８０が、集塵室１１内の前端部右側に、左右方向に延びる回動軸（図示せず）を中心に回動可能に配置されている。集塵容器３１２には、集塵室１１内に装着された状態でストッパ３１２に接触可能なリブ８１が備えられている。
【００６３】
図２２は、第４実施形態の集塵容器３１２の正面図である。
図２１および図２２を参照して、集塵容器３１２は正面視略矩形状に形成され、その上部には、集塵容器３１２を集塵室１１に対して出し入れする際に把持するための把持部８２が形成されている。把持部８２は、前後方向に延びるように形成され、その前端部が集塵容器３１２の上部前端の左側に連結され、その後端部が集塵容器３１２の上部後端の左右方向中央部に連結されている。把持部８２は、その前後方向中央部が集塵容器３１２の上面に対して一定の間隔を隔てて対向しており、この把持部８２と集塵容器３１２の上面との間の空間に指を入れて、把持部８２を把持することができる。
【００６４】
集塵容器３１２の前面には、集塵容器３１２内への空気の入口２４が略円形状に形成されている。集塵容器３１２の前面には、入口２４の周縁部から前方に向かって突出する筒状の入口管２５が形成されている。集塵容器３１２の後面に形成された出口３１は、ウレタンなどで形成された板状のフィルタ３２で覆われている。
集塵容器３１２内には、旋回流路３０が区画形成されていて、入口２４から集塵容器３１２内に入った空気は、図２２に矢印で示すように、旋回軸線８３を中心に旋回流路３０に沿って前方側から見て時計回りに旋回する。旋回流路３０の終端部は、集塵容器３１２の出口３１に連通している。
【００６５】
集塵容器３１２内に入口２４から流入した空気に含まれる塵埃は、旋回流路３０に沿って旋回する過程で、遠心力の作用により、旋回流路３０内の外方側（旋回軸線８３に対して径方向外側）を通過することとなる。集塵容器３１２内には、旋回軸線８３に沿って前方から略円筒状のフィルタ部材８４が挿入されている。このフィルタ部材８４には、たとえば、金属線を格子状に結合して形成されたメッシュフィルタ（図示せず）が備えられている。フィルタ部材８４の後端は、集塵容器３１２の出口３１の直上流側に臨んでいる。
【００６６】
このような構成により、旋回流路３０に沿って旋回する空気に含まれる塵埃は、旋回流路３０内の外方側を旋回するので、フィルタ部材８４を通過せずに出口３１へと導かれ、フィルタ３２により捕獲されることとなるが、旋回流路３０内の内方側（旋回軸線８３側）を旋回する空気（塵埃が分離された空気）の一部が、フィルタ部材８４のメッシュフィルタを通過し、フィルタ部材８４内を通って出口３１の直上流側に導かれることとなる。したがって、集塵容器３１２内に入口２４から流入した空気に含まれる塵埃を遠心力で分離させてフィルタ３２で捕獲することができるとともに、塵埃が分離された空気をフィルタ部材８４によりバイパスして出口３１から排出することができるので、良好に塵埃を捕獲することができる。
【００６７】
図２３は、フィルタ部材８４の構成を示す外観図であって、（ａ）は正面図、（ｂ）は左側面図をそれぞれ示している。
図２３に示すように、フィルタ部材８４は、略円筒状に形成され、その周面に複数の通気孔８５が形成されるとともに、それらの通気孔８５を覆うようにメッシュフィルタが取り付けられる筒部８６と、この筒部８６の前面に結合された前面板８７とを一体的に備えている。
【００６８】
前面板８７の上端部には、集塵容器３１２に係止されて、フィルタ部材８４を集塵容器３１２内に固定するための係止爪８８が上方に向かって突出形成されている。前面板８７の下端部には、上述したように、集塵容器３１２が集塵室１１内に装着された状態でストッパ８０に接触可能なリブ８１が、上下方向に延びるように、前方に向かって突出形成されている。
【００６９】
図２４は、第４実施形態の本体３０３をストッパ８０の近傍において前後方向に沿った鉛直面で切断したときの断面を左方から見た断面図であって、集塵室１１に集塵容器３１２および集塵フィルタ１３がいずれも装着されていない状態を示している。
図２１および図２４に示すように、集塵室１１の前面壁２２の右側には、右側のガイド部材３９の左側方に、ストッパ８０を保持するためのストッパ保持部材８９が取り付けられている。ストッパ８０は、ストッパ保持部材８９により、左右方向に延びる回動軸９０を中心に回動可能に保持されている。
【００７０】
ダストカバー３１８の内面の前側部分には、ストッパ８０に係止可能な係止突部９１が下方に向かって突出するように形成されている。ストッパ８０は、上下方向に長尺形状を有しており、その下部が回転軸９０により回転可能に保持されている。ストッパ８０の下端部の前面には、前方に向かって突出する略円柱状の突起９２が形成されており、前端面がストッパ保持部材８９の後面に当接するばね９３の後端部が突起９２に被せられている。これにより、ストッパ８０がばね９３の付勢力によって図２４における反時計回りに付勢されている。
【００７１】
ばね９３からの付勢力以外の外力がストッパ８０に作用していない状態では、ストッパ８０の前面上部から前方に向かって突出するリブ９４の先端がストッパ保持部材８９の後面に当接し、ストッパ８０が図２４に示す状態よりもさらに反時計回りに回転しないようになっている。
この状態でダストカバー３１８を閉じようとした場合、係止突部９１の下端部の軌跡上にストッパ８０の上端部が位置するようになっている。すなわち、集塵室１１に集塵容器３１２および集塵フィルタ１３がいずれも装着されていない状態でダストカバー３１８を閉じようとした場合には、係止突部９１の下端面がストッパ８０の上端面に当接することにより、ダストカバー３１８を閉じることができないようになっている。ストッパ８０の上端面の前端および後端には、上方に突出する突起９５がそれぞれ形成されており、係止突部９１の下端面がストッパ８０の上端面に当接した状態でダストカバー３１８に対してさらに閉じる方向に力が加えられた場合でも、係止突部９１がストッパ８０の前方側または後方側に乗り越えるのを突起９５により阻止することができる。
【００７２】
図２５は、第４実施形態の本体３０３をストッパ８０の近傍において前後方向に沿った鉛直面で切断したときの断面を左方から見た断面図であって、集塵室１１に集塵フィルタ１３が装着された状態を示している。
ストッパ８０は、集塵フィルタ１３の台紙３６の集塵室１１に対する挿入経路内に位置しており、集塵フィルタ１３を装着する場合、台紙３６をガイド部材３９に沿って下方にスライドさせる過程で、台紙３６の前面がストッパ８０の後面に摺接するようになっている。これにより、集塵フィルタ１３が装着される過程で、ストッパ８０が、集塵フィルタ１３（台紙３６）からの作用力によって、図２４に示す位置（初期位置）から、ばね９３の付勢力に抗して時計回りに回転する。そして、図２５に示すように、集塵フィルタ１３を装着した状態では、集塵フィルタ１３の台紙３６の前面にストッパ８０の後面が当接する。この状態でダストカバー３１８を閉じた場合には、係止突部９１の下端面がストッパ８０の上端面に当接せず、ダストカバー３１８が閉じられるのが許容される。
【００７３】
図２６は、第４実施形態の本体３０３をストッパ８０の近傍において前後方向に沿った鉛直面で切断したときの断面を左方から見た断面図であって、フィルタ部材８４が取り付けられた集塵容器３１２が集塵室１１に装着された状態を示している。
図２２および図２３を用いて説明した通り、集塵容器３１２に取り付けられるフィルタ部材８４の前面板８７には、集塵容器３１２が集塵室１１内に装着された状態でストッパ８０に接触可能なリブ８１が突出形成されている。ストッパ８０は、集塵容器３１２に取り付けられたフィルタ部材８４のリブ８１の集塵室１１に対する挿入経路内に位置しており、集塵容器３１２を装着する場合、集塵容器３１２を下方にスライドさせる過程で、リブ８１の先端面（前端面）がストッパ８０の後面に摺接するようになっている。これにより、集塵容器３１２が装着される過程で、ストッパ８０が、集塵容器３１２（リブ８１）からの作用力によって、図２４に示す位置（初期位置）から、ばね９３の付勢力に抗して時計回りに回転する。そして、図２６に示すように、集塵容器３１２を装着した状態では、ストッパ８０の後面にリブ８１の先端面が当接する。この状態でダストカバー３１８を閉じた場合には、係止突部９１の下端面がストッパ８０の上端面に当接せず、ダストカバー３１８が閉じられるのが許容される。
【００７４】
図２７は、第４実施形態の本体３０３をストッパ８０の近傍において前後方向に沿った鉛直面で切断したときの断面を左方から見た断面図であって、フィルタ部材８４が取り付けられていない集塵容器３１２が集塵室１１に装着された状態を示している。
図２７に示すように、集塵容器３１２にフィルタ部材８４が取り付けられていない状態では、ストッパ８０に接触可能なリブ８１が集塵容器３１２に備えられていないので、集塵容器３１２を装着した場合でも、集塵容器３１２を下方にスライドさせる過程でストッパ８０が回転することはない。したがって、フィルタ部材８４が取り付けられていない集塵容器３１２が集塵室１１に装着された状態でダストカバー３１８を閉じようとすると、係止突部９１の下端面がストッパ８０の上端面に当接することにより、ダストカバー３１８を閉じることができないようになっている。
【００７５】
この実施形態では、集塵フィルタ１３が集塵室１１に装着された状態でダストカバー３１８を閉じようとした場合、および、フィルタ部材８４が取り付けられた集塵容器３１３が集塵室１１に装着された状態でダストカバー３１８を閉じようとした場合には、ストッパ８０が係止突部９１に当接せず、ダストカバー３１８を閉じることができる。一方、集塵フィルタ１３および集塵容器３１２がいずれも集塵室１１に装着されていない状態でダストカバー３１８を閉じようとした場合、および、フィルタ部材８４が取り付けられていない集塵容器３１２が集塵室１１に装着された状態でダストカバー３１８を閉じようとした場合には、ストッパ８０が係止突部９１に当接して、ダストカバー３１８を閉じることができない。
【００７６】
したがって、集塵フィルタ１３または集塵容器３１２を集塵室１１に装着するのを忘れたり、集塵容器３１２にフィルタ部材８４を取り付けるのを忘れたりしたまま、電気掃除機の運転が開始されるのを防止できるので、利便性が向上する。
この発明は、以上の実施形態の内容に限定されるものではなく、請求項記載の範囲内において種々の変更が可能である。
【図面の簡単な説明】
【００７７】
【図１】この発明の第１実施形態に係る電気掃除機の外観構成を示す側面図であって、吸込部の一部を断面図で示している。
【図２】第１実施形態の本体を左手前側上方から見た斜視図である。
【図３】第１実施形態の本体を水平面で切断したときの断面を上方から見た断面図であって、集塵室に集塵容器が装着された状態を示している。
【図４】第１実施形態の本体を前後方向に沿った鉛直面で切断したときの断面を左方から見た断面図であって、集塵室に集塵容器が装着された状態を示している。
【図５】第１実施形態の本体を前後方向に沿った鉛直面で切断したときの断面を左方から見た断面図であって、集塵室に集塵フィルタが装着された状態を示している。
【図６】第１実施形態の本体を連動機構の近傍において前後方向に沿った鉛直面で切断したときの断面を左方から見た断面図であって、通気孔が閉塞された状態を示している。
【図７】第１実施形態の集塵室の底面壁における連動機構の近傍を下方から見た図である。
【図８】第１実施形態の本体を連動機構の近傍において前後方向に沿った鉛直面で切断したときの断面を左方から見た断面図であって、通気孔が開放された状態を示している。
【図９】この発明の第２実施形態に係る電気掃除機の本体を前後方向に沿った鉛直面で切断したときの断面を左方から見た断面図であって、集塵室に集塵フィルタが装着された状態を示している。
【図１０】第２実施形態のダストカバーの平面図である。
【図１１】第２実施形態のダストカバーの背面図である。
【図１２】第２実施形態のダストカバーを連動機構の近傍において前後方向に沿った鉛直面で切断したときの断面を左方から見た断面図であって、通気孔が閉塞された状態を示している。
【図１３】第２実施形態のダストカバーを連動機構の近傍において前後方向に沿った鉛直面で切断したときの断面を左方から見た断面図であって、通気孔が開放された状態を示している。
【図１４】第２実施形態の本体を前後方向に沿った鉛直面で切断したときの断面を左方から見た断面図であって、集塵室に集塵容器が装着された状態を示している。
【図１５】第２実施形態の本体を前後方向に沿った鉛直面で切断したときの断面を左方から見た断面図であって、集塵室に集塵容器が装着された状態を示している。
【図１６】第２実施形態の本体を前後方向に沿った鉛直面で切断したときの断面を左方から見た断面図であって、集塵室に集塵容器が装着された状態を示している。
【図１７】この発明の第３実施形態に係る電気掃除機の本体を左手前側上方から見た斜視図であって、集塵室に集塵容器が装着され、ダストカバーが開かれた状態を示している。
【図１８】第３実施形態の本体を前後方向に沿った鉛直面で切断したときの断面を左方から見た断面図であって、集塵室に集塵容器が装着され、ダストカバーが閉じられた状態を示している。
【図１９】図１８に示す矢印Ａ−Ａに沿って見た断面図である。
【図２０】第３実施形態の本体を前後方向に沿った鉛直面で切断したときの断面を左方から見た断面図であって、集塵室に集塵フィルタが装着され、ダストカバーが閉じられた状態を示している。
【図２１】この発明の第４実施形態に係る電気掃除機の本体を水平面で切断したときの断面を上方から見た断面図であって、集塵室に集塵容器が装着された状態を示している。
【図２２】第４実施形態の集塵容器の正面図である。
【図２３】フィルタ部材の構成を示す外観図であって、（ａ）は正面図、（ｂ）は左側面図をそれぞれ示している。
【図２４】第４実施形態の本体をストッパの近傍において前後方向に沿った鉛直面で切断したときの断面を左方から見た断面図であって、集塵室に集塵容器および集塵フィルタがいずれも装着されていない状態を示している。
【図２５】第４実施形態の本体をストッパの近傍において前後方向に沿った鉛直面で切断したときの断面を左方から見た断面図であって、集塵室に集塵フィルタが装着された状態を示している。
【図２６】第４実施形態の本体をストッパの近傍において前後方向に沿った鉛直面で切断したときの断面を左方から見た断面図であって、フィルタ部材が取り付けられた集塵容器が集塵室に装着された状態を示している。
【図２７】第４実施形態の本体をストッパの近傍において前後方向に沿った鉛直面で切断したときの断面を左方から見た断面図であって、フィルタ部材が取り付けられていない集塵容器が集塵室に装着された状態を示している。
【符号の説明】
【００７８】
３  本体
７  吸込口
１１  集塵室
１２  集塵容器
１３  集塵フィルタ
３４  排出口
４２  通気孔
４３  連動機構
４５  弁体
４６  ばね
５４  通気孔
５５  連動機構
６０  弁体
６１  ばね
１０３  本体
１１２  集塵容器
１１８  ダストカバー
【図１】
2006212339.tif 000003
【図２】
2006212339.tif 000004
【図３】
2006212339.tif 000005
【図４】
2006212339.tif 000006
【図５】
2006212339.tif 000007
【図６】
2006212339.tif 000008
【図７】
2006212339.tif 000009
【図８】
2006212339.tif 000010
【図９】
2006212339.tif 000011
【図１０】
2006212339.tif 000012
【図１１】
2006212339.tif 000013
【図１２】
2006212339.tif 000014
【図１３】
2006212339.tif 000015
【図１４】
2006212339.tif 000016
【図１５】
2006212339.tif 000017
【図１６】
2006212339.tif 000018
【図１７】
2006212339.tif 000019
【図１８】
2006212339.tif 000020
【図１９】
2006212339.tif 000021
【図２０】
2006212339.tif 000022
【図２１】
2006212339.tif 000023
【図２２】
2006212339.tif 000024
【図２３】
2006212339.tif 000025
【図２４】
2006212339.tif 000026
【図２５】
2006212339.tif 000027
【図２６】
2006212339.tif 000028
【図２７】
2006212339.tif 000029